(57)【要約】【課題】紙を主体とした情報入出力装置において、紙以外の他の媒体への出力も可能とした新規な構成の情報入出力装置を提案し、該情報入出力装置において、紙以外の他の出力媒体に出力する際、効率よく出力できるようにすること。【解決手段】  読み取り部３にて読み取られた（走査された）画像は、画像形成部１にて形成され、形成された画像が給紙部２から給紙された紙媒体に定着される。そして、紙媒体への出力の際に、光ディスクドライブユニット８５にて、メディアストック部８６から搬送、設置された未使用の記憶メディアに該画像情報を記録する。なお、必要に応じて、紙媒体への出力のみ、あるいは、記憶メディアの作成のみを実行することができる。【選択図】図４
2006201824.tif 000002
【特許請求の範囲】
【請求項１】
情報の入力部と処理部と記憶部と出力部とよりなり、それらの間で情報のやりとりを行うとともに前記各部を１箇所に集中して構成した情報入出力装置であって、前記出力部はカールソンプロセス原理による手段と可搬性の記憶メディアに所望の情報を書き込む手段である情報入出力装置において、該可搬性の記憶メディアに所望の情報を書き込む手段を複数種類有することを特徴とする情報入出力装置。
【請求項２】
前記可搬性の記憶メディアは、所望の情報が書き込まれる前の状態で前記情報入出力装置に複数個ストックしてなることを特徴とする請求項１に記載の情報入出力装置。
【請求項３】
前記可搬性の記憶メディアは、複数個マガジンにつめられるとともに該マガジンを着脱可能とすることを特徴とする請求項２に記載の情報入出力装置。
【請求項４】
前記可搬性の記憶メディアは、光メモリであることを特徴とする請求項１乃至３のいずれか１に記載の情報入出力装置。
【請求項５】
前記光メモリは、フォーマットの異なる複数の記憶メディアであることを特徴とする請求項４に記載の情報入出力装置。
【請求項６】
前記光メモリは、容量の異なる複数の記憶メディアであることを特徴とする請求項４に記載の情報入出力装置。
【請求項７】
前記光メモリは、形状の異なる複数の記憶メディアであることを特徴とする請求項４に記載の情報入出力装置。
【請求項８】
前記光メモリに書き込みを行うピックアップユニットは、着脱可能であることを特徴とする請求項４乃至７のいずれか１に記載の情報入出力装置。
【請求項９】
情報の入力部と処理部と記憶部と出力部とよりなり、それらの間で情報のやりとりを行うとともに前記各部を１箇所に集中して構成した情報入出力装置であって、前記出力部はカールソンプロセス原理による手段と可搬性の記憶メディアに所望の情報を書き込む手段である情報入出力装置において、該可搬性の記憶メディアに所望の情報を書き込む手段を複数個有することを特徴とする情報入出力装置。
【請求項１０】
前記可搬性の記憶メディアに所望の情報を書き込む手段は、同一の手段を複数個有することを特徴とする請求項９に記載の情報入出力装置。
【請求項１１】
前記可搬性の記憶メディアは、所望の情報が書き込まれる前の状態で前記情報入出力装置に複数個ストックしてなることを特徴とする請求項１０に記載の情報入出力装置。
【請求項１２】
前記可搬性の記憶メディアは、複数個マガジンにつめられるとともに、該マガジンを着脱可能とすることを特徴とする請求項１１に記載の情報入出力装置。
【請求項１３】
前記可搬性の記憶メディアは、光メモリであることを特徴とする請求項９乃至１２のいずれか１に記載の情報入出力装置。
【請求項１４】
前記光メモリに書き込みを行うピックアップユニットは、着脱可能であることを特徴とする請求項１３に記載の情報入出力装置。
【発明の詳細な説明】
【技術分野】
【０００１】
本発明は、情報入出力手段に関するものであり、特に、情報の出力媒体として紙メディアを使用するとともに、その他に別の情報の出力手段、媒体を具備する情報入出力手段に関するものである。
【背景技術】
【０００２】
近年、複写機はデジタル化の波に乗り、従来の単に文書の複写を行うといういわゆる複写機としての機能の他にスキャナ機能、ファックス機能、プリンタ機能等を備えたデジタル複合機、ＭＦＰ（マルチファンクションプリンタ、マルチファンクションペリフェラル）として進化してきている（例えば、特許文献１参照。）。それにともない、このようなデジタル複合機、ＭＦＰもコンピュータネットワークに組み込まれ、扱う情報もいわゆる電子データとしてネットワーク内を駆け巡る時代となってきている。さらに、このような電子データの特質を生かし、大量の文書データを保管するファイリング機能も備えた装置としての側面も持つようになってきている（例えば、特許文献２参照。）。
【０００３】
このようにコンピュータあるいはネットワークシステムの進化により、全てのデータは電子データとして便利に活用できる反面、従来ながらの紙文書もその読み易さ、手触りの良さがあり、その需要は衰えていない。また、このような時代においてはデータの送受信もネットワークを介して行われるのが一般的ではあり、前述のＭＦＰの例でいうならば、スキャナによる読み取り情報を紙出力するのみならず、メイル受信することもシステム的に可能である（例えば、特許文献３参照。）。
【特許文献１】特開２００２−２０２８７０号公報
【特許文献２】特開２００２−０２７１９２号公報
【特許文献３】特開２００３−３３７６８２号公報
【発明の開示】
【発明が解決しようとする課題】
【０００４】
一方で、このような情報のやりとりが目に見えないようなネットワーク網による配信以外に、受け取りの確実性を望む需要もある。
【０００５】
本発明はこのような実情に鑑みてなされたもので、
第１の目的は、紙を主体とした情報入出力装置において、紙以外の他の媒体への出力も可能とした新規な構成の情報入出力装置を提供することにある。
【０００６】
第２の目的は、このような情報入出力装置の紙以外の他の出力媒体に出力する際、効率よく出力できるようにすることにある。
【０００７】
第３の目的は、このような情報入出力装置の紙以外の他の出力媒体を供給する手段の具体的構成を提供することにある。
【０００８】
第４の目的は、このような情報入出力装置の紙以外の他の出力媒体の具体的構成を提供することにある。
【０００９】
第５の目的は、このような情報入出力装置の紙以外の他の出力媒体である光メモリのより具体的な構成を提供することにある。
【００１０】
第６の目的は、このような情報入出力装置の紙以外の他の出力媒体である光メモリのより具体的な構成の他の構成を提供することにある。
【００１１】
第７の目的は、このような情報入出力装置の紙以外の他の出力媒体である光メモリのより具体的な構成のさらに他の構成を提供することにある。
【００１２】
第８の目的は、このような情報入出力装置の紙以外の他の出力媒体である光メモリに出力する手段の特徴的な構成を提供することにある。
【００１３】
第９の目的は、紙を主体とした情報入出力装置において、紙以外の他の媒体への出力も可能とした新規な構成の情報入出力装置を提供することにある。
【００１４】
第１０の目的は、このような情報入出力装置の紙以外の他の出力媒体に出力する際、効率よく出力できるようにすることにある。
【００１５】
第１１の目的は、このような情報入出力装置の紙以外の他の出力媒体に出力する際、効率よく出力できるようにするための具体的構成を提供することにある。
【００１６】
第１２の目的は、このような情報入出力装置の紙以外の他の出力媒体に出力する際、その出力媒体の供給が手軽にできるようにすることにある。
【００１７】
第１３の目的は、このような情報入出力装置の紙以外の他の出力媒体の具体的構成を提供することにある。
【００１８】
第１４の目的は、このような情報入出力装置の紙以外の他の出力媒体である光メモリに出力する手段の特徴的な構成を提供することにある。
【課題を解決するための手段】
【００１９】
本発明は前記目的を達成するために、
第１の発明は、情報の入力部と処理部と記憶部と出力部とよりなり、それらの間で情報のやりとりを行うとともに前記各部を１箇所に集中して構成した情報入出力装置であって、前記出力部はカールソンプロセス原理による手段と可搬性の記憶メディアに所望の情報を書き込む手段である情報入出力装置において、該可搬性の記憶メディアに所望の情報を書き込む手段を複数種類有するようにした。
【００２０】
第２の発明は、上記第１の情報入出力装置において、前記可搬性の記憶メディアは、所望の情報が書き込まれる前の状態で前記情報入出力装置に複数個ストックしてなるようにした。
【００２１】
第３の発明は、上記第２の情報入出力装置において、前記可搬性の記憶メディアは複数個マガジンにつめられるとともに、該マガジンを着脱可能とするようにした。
【００２２】
第４の発明は、上記第１〜第３のいずれか１の情報入出力装置において、前記可搬性の記憶メディアは光メモリであるようにした。
【００２３】
第５の発明は、上記第４の情報入出力装置において、前記光メモリは、フォーマットの異なる複数の記憶メディアであるようにした。
【００２４】
第６の発明は、上記第４の情報入出力装置において、前記光メモリは、容量の異なる複数の記憶メディアであるようにした。
【００２５】
第７の発明は、上記第４の情報入出力装置において、前記光メモリは、形状の異なる複数の記憶メディアであるようにした。
【００２６】
第８の発明は、上記第４〜第７のいずれか１の情報入出力装置において、前記光メモリに書き込みを行うピックアップユニットは着脱可能であるようにした。
【００２７】
第９の発明は、情報の入力部と処理部と記憶部と出力部とよりなり、それらの間で情報のやりとりを行うとともに前記各部を１箇所に集中して構成した情報入出力装置であって、前記出力部はカールソンプロセス原理による手段と可搬性の記憶メディアに所望の情報を書き込む手段である情報入出力装置において、該可搬性の記憶メディアに所望の情報を書き込む手段を複数個有するようにした。
【００２８】
第１０の発明は、第９の発明において、前記可搬性の記憶メディアに所望の情報を書き込む手段は同一の手段を複数個有するようにした。
【００２９】
第１１の発明は、第１０の発明において、前記可搬性の記憶メディアは、所望の情報が書き込まれる前の状態で前記情報入出力装置に複数個ストックしてなるようにした。
【００３０】
第１２の発明は、第１１の発明において、前記可搬性の記憶メディアは複数個マガジンにつめられるとともに、該マガジンを着脱可能とするようにした。
【００３１】
第１３の発明は、第９乃至第１２のいずれか１の発明において、前記可搬性の記憶メディアは光メモリであるようにした。
【００３２】
第１４の発明は、第１３の発明において、前記光メモリに書き込みを行うピックアップユニットは着脱可能であるようにした。
【発明の効果】
【００３３】
第１の発明によれば、情報の入力部と処理部と記憶部と出力部とよりなり、それらの間で情報のやりとりを行うとともに前記各部を１箇所に集中して構成した情報入出力装置であって、前記出力部はカールソンプロセス原理による手段と可搬性の記憶メディアに所望の情報を書き込む手段である情報入出力装置において、該可搬性の記憶メディアに所望の情報を書き込む手段を複数種類有するようにしたので、紙メディアへの情報の出力（いわゆるプリントアウト）を行うことができるとともに、そのデータ内容を紙以外の可搬性の記憶メディアにも出力できるようになり、電子データの保管、移動などもできるようになった。
さらに、情報の入力部と処理部と記憶部と出力部とが、１箇所に集中して構成しているので、上記出力された紙メディアならびに記憶メディアは同じ場所でそれを手に入れることができ、使用上大変便利である。
また、紙メディアへの出力はカールソンプロセス原理によるものであるので、その出力生産性は大変高いものとすることができた。
さらに、記憶メディアを複数種類有しているので、情報を書き込まれた記憶メディアを選択して最適な記憶メディアに出力することができるようになった。
【００３４】
第２の発明によれば、このような情報入出力装置において、前記可搬性の記憶メディアは、所望の情報が書き込まれる前の状態で前記情報入出力装置に複数個ストックしてなるようにしたので、上記効果に加え、情報を書き込まれた記憶メディアを複数個出力することが容易になり、出力された紙メディアならびに記憶メディアを複数人に配布したりすることができるようになった。
【００３５】
第３の発明によれば、このような情報入出力装置において、前記可搬性の記憶メディアは複数個マガジンにつめられるとともに、該マガジンを着脱可能とするようにしたので、上記効果に加え、記憶メディアに情報を書き込む際に、操作者が毎回記憶メディアを１つずつ持ち寄るという手間が省けるようになった。
また、記憶メディアの補給も、複数個記憶メディアがつめ込まれたマガジン単位で行えばよいので、操作性が良い情報入出力装置とすることができた。
【００３６】
第４の発明によれば、このような情報入出力装置において、前記可搬性の記憶メディアは光メモリであるようにしたので、上記効果に加え、このように紙メディアに出力（いわゆるプリントアウト）する／した情報をさらに電子データとして保管する場合の可搬性記憶メディアとして、汎用性が高く大変利用しやすいものとすることができた。
【００３７】
第５の発明によれば、このような情報入出力装置において、前記光メモリは、フォーマットの異なる複数の記憶メディアであるようにしたので、上記効果に加え、必要とする最適なフォーマットの光メモリに出力することができるようになり、最も便利なフォーマットを選べるので利用価値が高くなった。
【００３８】
第６の発明によれば、このような情報入出力装置において、前記光メモリは、容量の異なる複数の記憶メディアであるようにしたので、上記効果に加え、必要とする最適な容量の光メモリに出力することができるようになり、電子データ出力時に容量の過不足のない光メモリの利用により、経済的な使用方法とすることができた。
【００３９】
第７の発明によれば、このような情報入出力装置において、前記光メモリは、形状の異なる複数の記憶メディアであるようにしたので、上記効果に加え、可搬性の記憶メディアとして最も使い易い形状のものを選択でき、利用価値が高くなった。
【００４０】
第８の発明によれば、このような情報入出力装置において、前記光メモリに書き込みを行うピックアップユニットは着脱可能であるようにしたので、上記効果に加え、このようなピックアップユニットのレーザダイオードの寿命がきた場合に、ピックアップユニットのみを交換することによって、引き続き、光メモリに所望の情報を書き込む手段（ドライブ装置）や情報入出力装置本体を使用できるので大変経済的な情報入出力装置とすることができた。
また、本発明の情報入出力装置はカールソンプロセス原理を使用し、紙へ出力するため、その紙粉やトナーなどが常時装置内、あるいは装置近傍に漂っている環境にある。よって、このようなピックアップユニットのレンズ等の光学系が汚れやすいが、ピックアップユニットは着脱可能としているので、その清浄化、あるいは交換が簡単にできるようになった。
【００４１】
第９の発明によれば、情報の入力部と処理部と記憶部と出力部とよりなり、それらの間で情報のやりとりを行うとともに前記各部を１箇所に集中して構成した情報入出力装置であって、前記出力部はカールソンプロセス原理による手段と可搬性の記憶メディアに所望の情報を書き込む手段である情報入出力装置において、該可搬性の記憶メディアに所望の情報を書き込む手段を複数個有するようにしたので、紙メディアへの情報の出力（いわゆるプリントアウト）を行うことができるとともに、そのデータ内容を紙以外の可搬性の記憶メディアにも出力できるようになり、電子データの保管、移動などもできるようになった。
【００４２】
さらに、情報の入力部と処理部と記憶部と出力部とが、１箇所に集中して構成しているので、上記出力された紙メディアならびに記憶メディアは同じ場所でそれを手に入れることができ、使用上大変便利である。
また、紙メディアへの出力はカールソンプロセス原理によるものであるので、その出力生産性は大変高いものとすることができた。
さらに、可搬性の記憶メディアに所望の情報を書き込む手段を複数個有しているので、複数個の記憶メディアへの出力、記録を行わなければならないような場合も、迅速に対応できるようになった。
【００４３】
第１０の発明によれば、このような情報入出力装置において、前記可搬性の記憶メディアに所望の情報を書き込む手段は同一の手段を複数個有するようにしたので、上記効果に加え、このような記憶メディアへの出力、記録を複数個行わなければならないような場合も、高速で行うことができ、カールソンプロセス原理による紙メディアへの出力の生産性の高さとバランスがとれ、待ち時間を短くできるようになった。
【００４４】
第１１の発明によれば、このような情報入出力装置において、前記可搬性の記憶メディアは、所望の情報が書き込まれる前の状態で前記情報入出力装置に複数個ストックしてなるようにしたので、上記効果に加え、情報を書き込まれた記憶メディアを複数個出力することが容易になり、出力された紙メディアならびに記憶メディアを複数人に配布したりすることができるようになった。
【００４５】
第１２の発明によれば、このような情報入出力装置において、前記可搬性の記憶メディアは複数個マガジンにつめられるとともに、該マガジンを着脱可能とするようにしたので、上記効果に加え、記憶メディアに情報を書き込む際に、操作者が毎回記憶メディアを１つずつ持ち寄るという手間が省けるようになった。
また、記憶メディアの補給も、複数個記憶メディアがつめ込まれたマガジン単位で行えばよいので、操作性が良い情報入出力装置とすることができた。
【００４６】
第１３の発明によれば、このような情報入出力装置において、前記可搬性の記憶メディアは光メモリであるようにしたので、上記効果に加え、このように紙メディアに出力（いわゆるプリントアウト）する／した情報をさらに電子データとして保管する場合の可搬性記憶メディアとして、汎用性が高く大変利用しやすいものとすることができた。
【００４７】
第１４の発明によれば、このような情報入出力装置において、前記光メモリに書き込みを行うピックアップユニットは着脱可能であるようにしたので、上記効果に加え、このようなピックアップユニットのレーザダイオードの寿命がきた場合に、ピックアップユニットのみを交換することによって、引き続き、光メモリに所望の情報を書き込む手段（ドライブ装置）や情報入出力装置本体を使用できるので大変経済的な情報入出力装置とすることができた。
また、本発明の情報入出力装置はカールソンプロセス原理を使用し、紙へ出力するため、その紙粉やトナーなどが常時装置内、あるいは装置近傍に漂っている環境にある。よって、このようなピックアップユニットのレンズ等の光学系が汚れやすいが、ピックアップユニットは着脱可能としているので、その清浄化、あるいは交換が簡単にできるようになった。
【発明を実施するための最良の形態】
【００４８】
以下に、本発明のシステムの実施の形態について説明する。なお、以下に示す実施の形態は例示であり、これに限定されるものではない。
【００４９】
図１、図２は、本発明のシステムに好適に適用される紙に代表されるシート状部材に色材を付与する代表例としての電子写真複写装置であり、その記録速度として１分間に２０枚〜１００枚という能力があり、高速出力の代表的複写装置である。
【００５０】
図１は、電子写真原理（カールソンプロセス）のエンジン部（画像形成部）を示したものであり、ここでは潜像担持体としての感光体ドラムをタンデム配列した乾式２成分現像方式のフルカラー作像装置の画像形成部を示している。
【００５１】
図２は、感光体ドラムをタンデム配列したフルカラーの画像形成装置全体を示す図で、図示のように、４連タンデム型のカラー画像形成装置ＭＦＰ（マルチファンクションプリンタ、マルチファンクションペリフェラル）のほぼ中央に画像形成部１が配置され、この画像形成部１のすぐ下方には給紙部２が配置され、給紙部２には各段に給紙トレイ２１が設けられている。また、画像形成部１の上方には、原稿を読み取る読み取り部３が配設されている。画像形成部１の用紙搬送方向下流側（図示左側）には排紙収納部、所謂排紙トレイ４が設けられ、排紙された画像形成済みの記録紙が積載される。
【００５２】
画像形成部１では、図１に示すように、無端状のベルトからなる中間転写ベルト５の上方に、イエロー（Ｙ）、マゼンタ（Ｍ）、シアン（Ｃ）、ブラック（Ｋ）用の複数の作像部６（６Ｙ，６Ｍ，６Ｃ，６Ｋ）が並置されている。なお、図１では、各部の符号の後ろに色を表すＹ，Ｍ，Ｃ，Ｋを付けて各色の作像部を区別している。各々の作像部６では、各色毎に設けられたドラム状の感光体６１の外周に沿って、帯電装置６２、露光部６５、現像装置６３、感光体クリーニング装置６４などが配置されている。帯電装置６２は、感光体６１の表面に帯電処理を行い、露光部６５では、画像情報を感光体６１表面にレーザ光で照射する露光装置７からのレーザ光が照射される。現像装置６３は、感光体６１の表面に露光されて形成された静電潜像をトナー現像して可視化し、感光体クリーニング装置６４は転写後に感光体６１の表面に残留したトナーを除去回収する。
【００５３】
作像プロセスとしては、中間転写ベルト５上に各色毎の画像が作像され、中間転写ベルト５上に４色が重畳されて１つのカラー画像が形成される。その際、最初に、イエロー（Ｙ）の作像部で、イエロー（Ｙ）のトナーを現像し、中間転写ベルト５に１次転写装置６６によって転写する。次に、マゼンタ（Ｍ）の作像部で、マゼンタのトナーを現像し、中間転写ベルト５に転写する。次に、シアン（Ｃ）の作像部で、シアンのトナーを現像し、中間転写ベルト５上に転写し、最後に、ブラック（Ｋ）のトナーを現像し、中間転写ベルト５上に転写し、４色が重畳されたフルカラーのトナー画像が形成される。そして、中間転写ベルト５上に転写された４色のトナー像は、給紙部２から給紙されてきた記録紙２０に２次転写装置５１で転写され、定着装置８によって定着された後、排紙ローラ４１によって排紙トレイ４に排紙され、あるいは両面装置９に搬送される。
【００５４】
両面印刷時は、搬送経路は分岐部９１で分岐され、両面装置９を経由して、記録紙２０は反転される。そして、レジストローラ２３で用紙のスキューが補正され、表面への画像形成動作と同様にして裏面への画像形成動作が行われる。一方、フルカラーのトナー像が転写された後、中間転写ベルト５の表面に残留したトナーは中間転写ベルトクリーニング装置５２によって除去回収される。なお、符号９２は両面装置９からの反転排紙経路である。
【００５５】
給紙部２は、給紙トレイ２１に未使用の記録紙２０が収容されており、最上位の記録紙２０がピックアップローラ２５に当接する位置まで、一端が給紙トレイ２１の底部に揺動可能に支持された底板２４の他端を上昇させる。そして、給紙ローラ２６の回転により、最上位の記録紙２０はピックアップローラ２５によって給紙トレイ２１から引き出され、給紙ローラ２６によって縦搬送路２７を介してレジストローラ２３側へと搬送される。レジストローラ２３は記録紙２０の搬送を一時止め、中間転写ベルト５上のトナー像と記録紙２０の先端との位置関係が所定の位置になるよう、タイミングをとって記録紙２０を送り出す。レジストローラ２３は前記縦搬送路２７からの記録紙２０の他に、手差しトレイ８４から搬送されてくる記録紙２０に対しても同様に機能する。なお、図２中、符号８１は分岐爪、符号８２はジャム紙排紙トレイであり、縦搬送路２７の下流側でジャムが生じたときに分岐爪８１が作動してジャム紙排紙トレイ８２に用紙を導出する機能を有する。
【００５６】
読み取り部３では、コンタクトガラス３１上に載置される原稿（図示せず）の読み取り走査を行うために、原稿照明用光源とミラーを搭載した第１及び第２の走行体３２、３３が往復移動する。この走行体３２、３３により走査された画像情報は、レンズ３４によって後方に設置されているＣＣＤ３５の結像面に集光され、ＣＣＤ３５によって画像信号として読み込まれる。この読み込まれた画像信号は、デジタル化され画像処理される。そして、画像処理された信号に基づいて、露光装置７内のレーザダイオードＬＤ（図示せず）の発光により感光体６１の表面に光書き込みが行われ、静電潜像が形成される。ＬＤからの光信号は、公知のポリゴンミラーやレンズを介して感光体６１に至る。また、読み取り部３の上部には、原稿を自動的にコンタクトガラス上に搬送する自動原稿搬送装置３６が取り付けられている。
【００５７】
なお、本実施形態に係るカラー画像形成装置ＭＦＰ（マルチファンクションプリンタ、あるいはマルチファンクションペリフェラルともいう）は、前述のように、光走査して原稿を読み取り、デジタル化して用紙に複写する、いわゆるデジタルカラー複写機としての機能の他に、図示しない制御装置により原稿の画像情報を遠隔地と授受するファクシミリの機能や、コンピュータが扱う画像情報を用紙上に印刷するいわゆるプリンタの機能を有する多機能の画像形成装置である。
【００５８】
これは、この装置単独でこのような機能を持たせているが、後述するように、ネットワークに接続されサーバ管理のもとに、他の各種装置（スキャナ、各種プリンタ、光ディスクドライブ、ハードディスクドライブ等）と協同動作させるシステムとすることも可能である。
【００５９】
図３は、このような本発明のシステムの一例であり、紙などの記録媒体に印字を行うプリンタ部の電気信号を処理する部分の構成、光メモリへの情報書き込み部の電気信号を処理する部分の構成、スキャナからの情報取り込み部の電気信号を処理する部分の構成などを詳細に示したものである。
【００６０】
図３において、３０１はＣＰＵで、プリンタの各部の制御を行うためのものである。３０２はＲＡＭであり前記ＣＰＵが演算した結果や、プリンタなどが扱う画像データなどを一時的に記憶しておくためのものである。３０３はＲＯＭであり、前記ＣＰＵが動作するためのプログラムや、画像データを生成するためのフォントデータなどが格納されている。
【００６１】
３０４は、前記ＣＰＵ、ＲＡＭ、ＲＯＭが接続されているローカルバスである。３０５はＩ／Ｏバスであり、機能拡張用の内部Ｂｕｓである。３０６は前記ローカルバスとＩ／Ｏバスを接続するためのブリッジ回路である。３０７はプリンタ部で、このプリンタ部は、紙などの記録媒体に画像を形成するための部分で、前記のような電子写真原理（カールソンプロセス）による作像方式である。
【００６２】
３０８はプリンタインターフェース部であり、前記プリンタ部３０７とＩ／Ｏバス３０５を接続するためのものであり、ＣＰＵ３０１の指示に従ってＲＡＭ３０２に格納されている画像データをプリンタ部３０７へ転送することが可能である。３０９は光ディスクドライブであり、光ディスク（メモリ）から情報を読み取ったり、光ディスク（メモリ）に情報を書き込んだりするための部分である。３１０は光ディスクドライブインターフェース部であり、前記光ディスクドライブ３０９とＩ／Ｏバス３０５を接続するためのものであり、ＣＰＵ３０１の指示に従って、前記光ディスクドライブ３０９から転送される電子データを、ＲＡＭ３０２に転送したり、ＲＡＭ３０２から光ディスクドライブ３０９へ転送することが可能である。
【００６３】
後述するが、本発明においては、光ディスクに代表される（しかしそれに限定されない）可搬性の記憶メディアを同一のもので複数個有するようにしている。よって、このブロック図においても、光ディスクドライブ３０９、光ディスクドライブインターフェース部３１０も、Ｉ／Ｏバス３０５に複数個つなげられたものとなる。
【００６４】
３１１はスキャナ部で、図示しない原稿台に置かれた原稿から読み取った光学的な信号を、ＣＣＤなどを用いて電子データに変換し、その電子データを転送するための部分である。３１２はスキャナインターフェース部であり、前記スキャナ部３１１とＩ／Ｏバス３０５を接続するためのものであり、ＣＰＵ３０１の指示に従って、前記スキャナ３１１から転送される原稿を読み取った電子データを、ＲＡＭ３０２に転送することが可能である。
【００６５】
３１４はＩＤＥインターフェース部、３１３はハードディスクドライブであり、画像データのスプールを行ったり、ＣＰＵ３０１がさまざまな処理を行うためのプログラムなどを格納させておくためのものである。
【００６６】
３１５はネットワークインターフェースコントローラであり、ローカルエリアネットワークへ接続するために使用される。３１６はイメージプロセッシングユニット（以下ＩＰＵ）であり、解像度変換などの画像処理を行うためのものである。
【００６７】
３１７はラスタイメージプロセッサであり、ＣＰＵ３０１の指示により、ネットワークインターフェースコントローラ３１５を経由して外部から転送されたページ記述言語の画像データをビットマップ画像へ展開し、ＲＡＭ３０２へ展開したビットマップデータを格納するために使用される。３１８はビデオＲＡＭで、ＣＰＵ３０１により外部のＣＲＴやＬＣＤパネルに表示した表示データが書き込まれるものである。３１９はビデオインターフェース部であり、ＶＲＡＭ３１８に格納されている表示データを外部のＣＲＴやＬＣＤパネルに表示するためのインターフェースをするためのものである。３２０は拡張Ｉ／Ｏインターフェース部であり、たとえば携帯機器などとＣＰＵ３０１が通信などを行うためのインターフェース回路である。通信形態はシリアル通信や、バイセントロインターフェース、または、Ｂｌｕｅｔｏｏｔｈなどの無線通信などの形式がある。
【００６８】
以上の説明より明らかなように、本発明においては、情報の入力部と処理部と記憶部と出力部とよりなり、これらの各部あるいは各種装置は、無線、有線、光伝送等によってネットワーク接続されて情報のやりとりが行われる。また、それぞれの装置は分散配置することができるが、必要に応じて、各部あるいは各種装置を１箇所に集中、配置して構成してもよい。
【００６９】
ここで補足しておくが、本発明でいう情報の入力部とは、単にスキャナ部のみならずＩ／Ｏインターフェース部、さらには、説明を省略しているがキーボードやタッチパネルあるいはイメージキャプチャーデバイス等の情報入力手段も含むものである。また、処理部あるいは記憶部に関しても、それの意味するところは、デバイスあるいはデバイスユニットとしてのＣＰＵ、ＲＡＭ、ＲＯＭはいうに及ばず、ネットワークシステムに組み込まれたＰＣ、サーバなども含むものである。出力部も同様に、Ｉ／Ｏインターフェース部、情報表示のディスプレイ、各種プリンタ、ストレージ／メモリ等への情報書き込み装置も含むものである。
【００７０】
前述のように、本発明のシステムは、分散あるいは１箇所に集中させて構成できるが、さらに、上記画像形成装置ＭＦＰ（マルチファンクションプリンタ、マルチファンクションペリフェラル）内部に所望の装置やサーバ機能、大容量のメモリを搭載、配置するようにするのも好適な構成である。すなわち、このようなネットワークシステム全体、あるいはその機能を凝縮した形でＭＦＰという１台のマシン内部に一体的に構成することにより、全ての作業がＭＦＰ１台でできてしまうという画期的な情報入出力装置が実現する。
【００７１】
図４は、その１例であり、紙への出力機能である電子写真原理（カールソンプロセス）のＭＦＰに、光ディスクドライブを組み込んだ構成である。図４中、８５は光ディスクドライブユニット、８６は未使用のメディアストック部である。
【００７２】
使用方法は、例えば、マイクロソフト社のＷｏｒｄファイル、ＥＸＣＥＬファイル、ＰｏｗｅｒＰｏｉｎｔファイルなど、あるいはアドビ社のＰＤＦファイルに変換したものなどのファイルデータをＭＦＰ内部のメモリに保存し、必要に応じて紙出力する。また、そのファイルデータを組み込まれた光ディスクドライブユニット８５を使用し、メディアストック部８６から搬送、設置された未使用のＤＶＤ−Ｒ、あるいはＤＶＤ−ＲＷ等に焼く（ｂｕｒｎ）ことにより、電子データとして持ち運びできる光ディスク（可搬性ストレージ）を作成する。なお、これら紙文書の出力と光ディスクの作成は、（ほぼ）同時に行ってもよいし、必要に応じて一方だけ（紙文書のプリントアウト、あるいは光ディスクの作成）行ってもよい。
【００７３】
なお、この例では、光ディスクドライブユニット８５およびメディアストック部８６をそれぞれ１つずつ有する構成として示しているが、後述するように本発明においては、可搬性の記憶メディアに所望の情報を書き込む手段を複数個有するようにしたものである。よって、このような光メモリ等の可搬性の記憶メディアが複数個あるとともに、それに対応してその記憶メディアに記憶、記録を行うドライブ等の書き込みユニットや、そのメディアあるいはストレージのストック部を有しているものである（図では示していない）。あるいは、このような光メモリ等の可搬性の記憶メディアを複数種類有するものである。そして、その可搬性の記憶メディアを種類に応じてそれぞれドライブ等の書き込みユニットや、そのメディアあるいはストレージのストック部を有している（図では示していない）。
【００７４】
このような本発明のＭＦＰは、前述のように、これ１台で、完結した機能を持っているが、前述のように、このＭＦＰも、ローカルエリアネットワークを介して、インターネットなどの通信網に接続し、ネットワークの１端末という使い方をしてもよい。
【００７５】
インターネットなどの通信網上には、各種のサーバが接続されており、情報の検索を行う検索サーバ、または、電子データなどを蓄積し、ユーザからの要求によって内部に保持している電子データを配信するなどのサービスを行える配信サーバ、さらに、携帯電話などの携帯機器に対して各種サービスや、課金の制御を行える携帯機器のためのサービスを行うサーバなどがある。
【００７６】
本発明のＭＦＰは、ユーザが所定の操作を行うことによりインターネットなどの通信網を介して、検索サーバに情報の問い合わせを行うことも可能であり、また、検索サーバから受信したデータをＭＦＰにてプリントアウトしたり、可搬性の記憶メディア、ストレージに情報記録、記憶を行うことなども可能である。
【００７７】
次に、本発明に適用される可搬性の記憶メディア、ストレージの代表例として、光ディスクメディアの例をあげて説明する。いうまでもないが、本発明の可搬性の記憶メディア、ストレージはこの例に限定されるものではないが、光ディスクメディアは、大変汎用性の高いメディアであり使い勝手がよい。
【００７８】
図５〜図８は、本発明の光ディスクドライブユニットに情報を書き込まれる前の光ディスクメディアを供給、搬送する手段を説明する図である。
本発明においては、情報を書き込まれる前の光ディスクメディアは複数枚ストックされており、必要に応じて１枚ずつ光ディスクドライブユニットに運ばれ、情報書込みが行われる。
【００７９】
図５は、本発明の光ディスクメディアを複数枚（この例では７枚）ストックされたマガジン１００を示しており、このマガジン１００はマガジン表面に表示された三角形の方向表示印１０１を矢印Ａの方向に向けて、図６に示すように、光ディスクドライブユニット１０９に矢印Ａの方向に挿入される。
【００８０】
図７は、挿入された後の光ディスクメディア１０３を図６に図示した光ディスクドライブユニット１０９の書き込み部１１０に搬送する動作を説明するための図であり、搬送トレイ１０２に搭載された光ディスクメディア１０３は、搬送トレイ１０２に設けられたフック溝１０４に２つのフック１０６を引っ掛け、図６に図示した矢印Ｃ方向に動作するフック１０６によって引き出される。
【００８１】
図８は、搬送トレイ１０２に搭載された光ディスクメディア１０３が引き出されたときの状態を示す断面図である。
その後、光ディスクメディア１０３は、書き込み部１１０において、書き込み部１１０の上下動作（図６の矢印Ｄ方向の動作）を利用して穴１０５に図６に図示した回転軸１０７が勘合され、搬送トレイ１０２はマガジン１００に戻される。１１１は、光ディスクメディア１０３が回転軸１０７に勘合されても搬送トレイ１０２をマガジン１００に戻すことができるようにするための搬送トレイ１０２に設けられた切り欠き部である。
【００８２】
図６に図示した回転軸１０７に穴１０５を勘合した後、光ディスクメディア１０３はその記録層に図１０に図示したピックアップ１０８から発せられるレーザ光によって情報書き込みを行う。ピックアップ１０８によって情報が書き込まれた後、前述の搬送動作で説明した手段と同等の図示しない手段によって、搬送動作と逆の動作によって図６の矢印Ｂの方向に搬送、排出されて作業が終了する。
【００８３】
以上に、本発明の光ディスクドライブユニットに情報を書き込むための光ディスクメディアを供給、搬送する手段の１例を示したが、本発明の光ディスクメディアは必ずしもこのような、円盤型（外径１２０ｍｍ、厚さ１.２ｍｍ、穴径１５ｍｍ、記憶容量ＣＤフォーマットで６５０ＭＢもしくは７００ＭＢ）に限られるものではない。同じ円盤型であっても、外径８０ｍｍで記憶容量がＣＤフォーマットで１８５ＭＢのものや、矩形形状で名刺サイズ（カード型）の５８ｍｍ×８６ｍｍ×１ｍｍで記憶容量がＣＤフォーマットで１８ＭＢ〜５０ＭＢのもの、さらには、星型、卵型、その他任意の形状の外形形状、寸法の光ディスクメディアが適用される。
【００８４】
また、その記憶容量も、７８０ｎｍのレーザ波長を用いるＣＤフォーマットで２０ＭＢ〜７００ＭＢ、６３５ｎｍ／６５０ｎｍのレーザ波長を用いるＤＶＤフォーマットで４.７ＧＢ〜１７ＧＢ、さらには、４０５ｎｍ波長の青色レーザを使用するＢｌｕ−ｒａｙ  Ｄｉｓｃ（あるいはＨＤ  ＤＶＤ）等のフォーマットで、２３.３ＧＢ〜２７ＧＢ（ＨＤ  ＤＶＤは片面１５ＧＢ、両面３０ＧＢ）といったものまでその用途に応じて選択、使用すればよい。
【００８５】
なお、記録密度、容量の他に、原理的な違いで見ると、データ記録層に感光性の有機色素（シアニン系、フタロシアニン系、アゾ系、スクアリリウム系等）を使用し、この色素に読み取り用よりも強いレーザ光を当て、色素に半永久的な反射率の変化を起こさせ、この変化を記録データとする１回だけ書き込み可能なＲ（Ｒｅｃｏｒｄａｂｌｅ）メディアと呼ばれるものがある。
【００８６】
記録フォーマット、容量の違いにより、ＣＤ−Ｒ、ＤＶＤ−Ｒ、ＤＶＤ＋Ｒ等がある。色素の反射率変化は半永久的で、非可逆性の反応であるため、１回の書き込みしかできないが、有機色素を使用し、室内でスピンコーティング等によって記録層を形成できるため、量産性に優れ、後述の書き換え可能なメディアに比べて生産コストが安いというメリットがある。また、アーカイブ的な使用に好適なメディアであり、記録データの修正の必要がない場合、あるいは、改ざんされると困る場合に、大変好都合に使用されるメディアである。
【００８７】
また、メディア１枚あたりの値段が安いため、本発明のように紙文書を出力すると同時に、そのデータ（ファイル等）を電子データとしてこのＲメディアに書き込んで、多勢の人に配布したりするという使用法に大変都合がよい。
【００８８】
なお、前述のように光ディスクメディアの場合、フォーマット、あるいは書き込み密度（容量）等の異なる２種類のメディア（例えばＣＤフォーマットのものとＤＶＤフォーマットのもの）を異なる２種類のレーザダイオードならびにその光学系などを１つのピックアップユニットとして構成するようなドライブユニット（書き込みユニット）とすることができるが、このような構成（１つのドライブユニットと記載している）であっても、本発明の複数種類の情報書き込み手段（ドライブユニット）と見なされるものである。上記２種類が３種類であっても同様である（例えば、ＣＤフォーマット、ＤＶＤフォーマット、ＨＤ  ＤＶＤフォーマット）。
【００８９】
また、レーザダイオードならびにその光学系などを１つのピックアップユニットとして構成するようなドライブユニット（書き込みユニット）とし、ダブルビーム（２個以上のレーザダイオードおよびその光学系を有する場合は複数ビーム）で書き込みを行い、高速記録、記憶を実現するような場合も、本発明の複数個の情報書き込み手段（ドライブユニット）と見なされるものである。
【００９０】
さらに、他の光メモリメディアとしては、データ記録層に結晶とアモルファスの相変化が可能な材料を利用するＲＷ（ＲｅＷｒｉｔａｂｌｅ）メディアと呼ばれるものがある。このような材料としては、例えば、Ａｇ−Ｉｎ−Ｓｂ−Ｔｅ（銀−インジウム−アンチモン−テルル）の四元素の合金がある。
【００９１】
結晶相を一気に融点にまで昇温し、不規則な原子の状態をつくり出す。これがアモルファス状態で、つぎにこの状態を急速に冷却すると、原子はばらばらな状態でフリーズされ、温度が下がってもアモルファス相が形成されている。
【００９２】
一方、融点には至らない、やや中間的なレベルにまで昇温しておいて比較的ゆっくり冷えるように温度管理をしてやると、今度は原子が元の状態に組み替わることができ、結晶相が形成される。データを消去する場合には、このようにして結晶相に変化させる。
【００９３】
アモルファスとは原子の配列が乱雑な状態で、結晶と比べて反射率が低くなる。この変化をピットとランドとしている。ＲＷメディアには、この２つの温度を再現できるように、出力の異なったレーザが備えつけられている。
この結晶とアモルファスの相変化は、可逆的に反応させることができるので、前述のＲメディアとは異なり、再書き込みができるという特徴がある。
このメディアの場合も、記録フォーマット、容量の違いにより、ＣＤ−ＲＷ、ＤＶＤ−ＲＷ、ＤＶＤ＋ＲＷ等がある。
【００９４】
なお、前述の青色レーザを使用するさらには４０５ｎｍ波長の青色レーザを使用するＢｌｕ−ｒａｙ  Ｄｉｓｃ、あるいはＨＤ  ＤＶＤ等も、同様に、非可逆性の反応あるいは可逆性の反応を利用した材料を使用し、Ｒメディア、ＲＷメディアが実現でき、本発明に好適に使用できる。
【００９５】
ところで、このような光メモリは、図５等に示したように、ある数量の光ディスクメディアを収納したマガジン単位で供給されるが、高速書き込みを必要とするような場合には、このマガジンにストックされている光ディスクメディアをあらかじめ、フォーマット化したメディアとするのがよい。
【００９６】
例えば、ＣＤの例で説明するならば、Ｗｉｎｄｏｗｓ（登録商標）でＣＤ−Ｒに書き込みを行う場合、各種のＯＳ別論理フォーマット（Ｒｏｍｅｏ、Ｊｏｌｉｅｔ、ＲｏｃｋＲｉｄｇｅ、ＩＳＯ９６６０など）がある。本発明のＭＦＰにおいては、毎回、データ書き込みを行うたびに、光ディスクメディアをフォーマット化するのではなく、例えば、たいていのＯＳで読めるようなＩＳＯ９６６０レベル１にあらかじめフォーマット化してある光ディスクメディアをマガジンに収納しておく。それにより、使用時にフォーマット書き込みに要する時間が不要となり、データ書き込みがすぐに行え、情報が書き込まれた光ディスクメディアの作成時間を短縮することができる。
【００９７】
通常、最もよく使用するフォーマットはあらかじめフォーマット化した光ディスクメディアが即使えるような状態にして供給する（フォーマット化した光ディスクメディアをドライブのピックアップ部分に設置する）ようにしておけばよいが、場合によっては、そのフォーマットとは違うフォーマットで書き込みたい場合も出てくる。そのような点を考慮し、光ディスクメディアの供給手段を２系統にしておくのもよい方法である。
【００９８】
例えば、通常最もよく使用するフォーマットは、フォーマット済みで供給し、他のフォーマットで書き込みたい場合を想定した未フォーマットのものを準備しておき、それは光ディスク作成に多少時間が余計にかかっても、フォーマット化ならびにデータ書き込みを本発明のＭＦＰ（内の書き込みドライブ）で行うという使い方である。
【００９９】
フォーマット化済みあるいは未フォーマットの光ディスクメディアは、それぞれ、図９に示すように、複数枚ずつマガジンに収納して供給してもよいし、あるいは、通常最もよく使用するフォーマットのもののみ、このような複数枚ずつマガジンに収納して供給し、たまにしか使用しないような特殊フォーマットで書き込むような場合は、頻度が少ないので１枚ずつ手差し供給するようにしてもよい。
【０１００】
以上、本発明の可搬性の記憶メディア、ストレージとして純粋な光メモリを中心に説明をしたが、他の可搬性の記憶メディアとして本発明に好適に使用できるものとして、ＭＯとして知られる光磁気ディスク（Ｍａｇｎｅｔｏ  Ｏｐｔｉｃａｌ  Ｄｉｓｋ）、光磁気メモリがある。容量は、１２８ＭＢ、２３０ＭＢ、６４０ＭＢ等あり、使用用途によって適宜選ばれる。
【０１０１】
動作原理は、磁性体でできたディスクの記録層（磁性体の材料として、各種磁性ガーネットやマンガン・ビスマス合金、バリウム系フェライトなどを使用）にレーザ光を照射して加熱し、約２００度に温度が上がったところで、磁界をかけて磁性体の向きを変えて書き込み（記録）を行い、データを読み出す際には、書き込み時よりも低出カのレーザ光を照射し、その反射光の違いを検知することによってデータを読み出すというものである。
ＭＯは、磁気の影響を受けない、ヘッドクラッシュがないなどの理由から、信頼性が高く、前述の光メモリ同様、本発明の情報入出力装置に組み込まれる可搬性の記憶メディアとして大変好適なメディアである。
【０１０２】
次に本発明の可搬性の記憶メディアとして好適に使用される他の記憶メディアとしては、半導体フラッシュメモリがある。通常、ＤＲＡＭなどは、電源を切るとデータが失われてしまい、本発明の可搬性の記憶メディアとしては不適であるが、フラッシュメモリは不揮発性でありそのようなことがない。ＵＳＢフラッシュメモリ、スマートメディア、コンパクトフラッシュ（登録商標）、メモリスティック等、形状、サイズ、容量等いろいろあるが、いずれも持ち運びに便利なものである。
【０１０３】
なお、他に同様に不揮発性メモリとして、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）として知られる半導体メモリがあり、これも本発明の可搬性の記憶メディアとしては好適に使用できる。
【０１０４】
いずれも、電源を切ってもデータが消えることなく保存され、さらに前述の光メモリとは異なり、動作時に機械的な可動部分がなく、全て電気的制御で使用でき、高速応答ならびに信頼性が高い、大変使用しやすいものである。
以上、本発明に適用される各種可搬性の記憶メディア、ストレージの代表例を説明したが、本発明はここにあげた例に限定されるものではない。
【０１０５】
本発明のポイントは、情報の出力、記憶（記録）という場面において、紙メディアと可搬性の電子情報記憶／記録メディアとの融合を目指し、それらが互いに関連付けられるとともに、その機能を果たす１台の装置（あるいは一箇所にシステム構成された装置）としてまとめあげられ、紙メディアへの情報出力（プリントアウト）がなされると同時、もしくは必要に応じて、該情報を可搬性の電子情報記憶／記録メディアへ記録し、それらを１台の装置（もしくは一箇所にシステム構成された装置）で受け取ることができるというものである。つまり、紙のプリントアウト書類と記憶メディア、ストレージを１台の装置から、もしくは（分散配置された別々の装置からはなく）一箇所で受け取ることができるというものである。
【０１０６】
また、複数種類の記憶メディア、ストレージを複数個ストックしたマガジンを装置本体に着脱可能に設置し、必要に応じて、記憶メディア、ストレージをドライブ部分（情報書き込み部分、ピックアップ部分）に搬送し、情報書き込みを行う。ドライブ部分も複数種類有し、その時々で必要とされる最適な記録、記憶のフォーマットで、あるいは、必要とされる最適な容量の記憶メディアに情報書き込みが行われる。あるいは、可搬性のしやすさなどによっても、その時々によって、円盤状、カード状、スティック状、ブロック状など最適な形状のものが選ばれたりする。
【０１０７】
さらに、同一の情報書き込み手段（ドライブ部分）を複数個有し、同じ種類の記憶メディアへの記録、記憶させるものを複数個生産する場合の生産性を高め、使用者のいらいら感を解消し、快適な使用環境を提案するのも本発明の重要なポイントである。
【０１０８】
前述のように、本発明では、カールソン原理により紙メディアによる大量のプリントアウト／コピーが瞬時にできる環境にある。それと併せてこのような所望の情報が書き込まれた可搬性の記憶メディアを複数個製作しようとした場合、紙メディアによる大量のプリントアウト／コピーの生産性が圧倒的に高いため、可搬性の記憶メディアの複数個製作はどうしても、時間がかかり、使用者は待たされることになり、いらいら感が募るものである。しかしながら、これも、本発明のように、同一の情報書き込み手段（ドライブ部分）を複数個有し、同じ種類の記憶メディアへの記録、記憶させるものを複数個瞬時に生産するようにできる。
【０１０９】
図９はその構成例を示す図で、この例は、ＭＦＰに光ディスクドライブユニットを２個組み込んだ構成を示すものであるが、本発明は必ずしも２個に限定されるものではなく、紙メディアによる高速、大量のプリントアウト／コピーとある程度バランスがとれ、使用者があまり待たされるという感覚を持たない程度に、このような可搬性の記憶メディアの複数個製作ができるように、複数個の同一の情報書き込み手段（ドライブ部分）を有するものである。
【０１１０】
なお、このように、複数個の同一の情報書き込み手段（ドライブ部分）を有する場合、図３にブロック図で示した光ディスクドライブ３０９、光ディスクドライブインターフェース部３１０も、Ｉ／Ｏバス３０５に複数個つなげられた状態となる。
【０１１１】
ところで、可搬性の記憶メディア、ストレージへの書き込みの例として、光ディスクの例をあげて説明したが、本発明は光ディスクだけに限定されるものではなく、他の記憶メディア、ストレージであっても、そのマガジンの形態、搬送の形態、情報の書き込み（記憶）／読み取り手段の形態は少しずつ異なるが、考え方は同じであって、同様に適用されるものである。
【０１１２】
次に本発明のさらに他の特徴について説明する。本発明の情報入出力装置は紙を扱うため、その紙粉やトナーなどが常時装置内、あるいは装置近傍に漂っている環境にある。よって、本発明の光メモリ等のストレージに記録を行う半導体レーザおよびその光学系よりなるピックアップユニット（図６の１０８参照）は、紙粉やトナーなどによって汚れやすいという宿命にある。
【０１１３】
さらに、本発明の他の例である半導体不揮発メモリのように電気的入出力で、情報の書き込み／読み出し（出力）を行うものと違って、光メモリ等のストレージは、ピックアップユニットとストレージが物理的に分離していて、機械的動作を行うという動作原理そのものに起因するものであるが、故障しやすい（レーザダイオードの寿命あるいは機械動作部分の故障）という性格もある。とりわけ、本発明に特有な紙粉やトナーなどの浮遊は、機械的動作の故障を引き起こす重要因子である。
【０１１４】
そこで、本発明では、これら汚れ、あるいは故障等による、信頼性の低さを補償するために、ピックアップユニットをドライブ部分から着脱可能とし、故障したり、レンズ等の光学系が汚れたりして、使用に支障をきたす場合に簡単に交換、あるいは、レンズ部分の清浄化ができるようにしている。
【０１１５】
このように、ＭＦＰ内にこのような光メモリ等のストレージを有するような、すなわち、本発明のような場合、紙粉やトナーなどによる光学系の汚染、あるいはピックアップユニットの機械的動作部分の故障があっても、これを着脱交換できるようにしているので、簡単に機能回復できるという利点がある。
【図面の簡単な説明】
【０１１６】
【図１】本発明の実施形態に係る潜像担持体としての感光体ドラムをタンデム配列した乾式二成分現像方式のフルカラー作像装置の画像形成部を示す図である。
【図２】本発明の実施形態に係る潜像担持体としての感光体ドラムをタンデム配列した乾式二成分現像方式のフルカラーの画像形成装置全体を示す図である。
【図３】本発明のプリンタ部、光メモリ、スキャナ、ハードディスク等の電気処理部の詳細説明図である。
【図４】本発明の１構成例として、ＭＦＰに光ディスクドライブユニットを組み込んだ構成を示す説明図である。
【図５】本発明に適用される情報書き込み前の光ディスクメディアを複数枚収納したマガジンの外観斜視図である。
【図６】本発明に適用される光ディスクドライブユニットに光ディスクメディアを装着、情報書き込み、排出の動作原理を説明する図である。
【図７】マガジン挿入後の光ディスクメディアを書き込み部に搬送する動作を説明するための図である。
【図８】搬送トレイに搭載された光ディスクメディアが引き出されたときの状態を示す断面図である。
【図９】本発明の１構成例として、ＭＦＰに光ディスクドライブユニットを２個組み込んだ構成を示す説明図である。
【符号の説明】
【０１１７】
１…画像形成部、２…給紙部、３…読み取り部、４…排紙トレイ、５…中間転写ベルト、６…作像部、７…露光装置、８…定着装置、９…両面装置、２０…記録紙、２１…給紙トレイ、２３…レジストローラ、２４…底板、２５…ピックアップローラ、２６…給紙ローラ、２７…縦搬送路、３１…コンタクトガラス、３２…第１の走行体、３３…第２の走行体、３４…レンズ、３５…ＣＣＤ、３６…自動原稿搬送装置、４１…排紙ローラ、５１…２次転写装置、５２…中間転写ベルトクリーニング装置、６１…感光体、６２…帯電装置、６３…現像装置、６４…感光体クリーニング装置、６５…露光部、６６…１次転写装置、８１…分岐爪、８２…ジャム紙排紙トレイ、８４…手差しトレイ、８５…光ディスクドライブユニット、８６…メディアストック部、９１…分岐部、９２…反転排紙経路、１００…マガジン、１０１…三角形の方向表示印、１０２…搬送トレイ、１０３…光ディスクメディア、１０４…フック溝、１０５…穴、１０６…フック、１０７…回転軸、１０８…ピックアップ、１０９…光ディスクドライブユニット、１１０…書き込み部、１１１…切り欠き部、３０１…ＣＰＵ、３０２…ＲＡＭ、３０３…ＲＯＭ、３０４…ローカルバス、３０５…Ｉ／Ｏバス、３０６…ブリッジ回路、３０７…プリンタ部、３０８…プリンタインターフェース部、３０９…光ディスクドライブ、３１０…光ディスクドライブインターフェース部、３１１…スキャナ部、３１２…スキャナインターフェース部、３１３…ハードディスクドライブ、３１４…ＩＤＥインターフェース部、３１５…ネットワークインターフェースコントローラ、３１６…イメージプロセッシングユニット、３１７…ラスタイメージプロセッサ、３１８…ビデオＲＡＭ、３１９…ビデオインタフェース部、３２０…拡張Ｉ／Ｏインターフェース部。
【図１】
2006201824.tif 000003
【図２】
2006201824.tif 000004
【図３】
2006201824.tif 000005
【図４】
2006201824.tif 000006
【図５】
2006201824.tif 000007
【図６】
2006201824.tif 000008
【図７】
2006201824.tif 000009
【図８】
2006201824.tif 000010
【図９】
2006201824.tif 000011